(57)【要約】  血管内へ挿入するための回収可能な血管内用フィルタが開示される。本発明の一実施形態による回収可能な血管内用フィルタは、血管内の血栓を回収するために使用可能な複数の長尺状フィルタ脚部に対して作動可能に連結される頂端部を備える。複数の長尺状フィルタ脚部の１本以上に連結される、又はこれと一体的に形成される屈曲可能な固定部材を、血管内用フィルタを血管壁に一時的又は永久的に固定するために使用することができる。
2008511342.tif 000002
【特許請求の範囲】
【請求項１】
頂端部と、
血管内において収束姿勢と拡張姿勢との間で作動可能な複数の長尺状フィルタ脚部と、
前記長尺状フィルタ脚部を血管壁に対して着脱可能に固定する１個以上の屈曲可能な固定部材と、各固定部材は、外力が付与されると選択的に曲がるコイル部材を有することと
を備える回収可能な血管内用フィルタ。
【請求項２】
各固定部材が尖端部を備える請求項１に記載の血管内用フィルタ。
【請求項３】
各固定部材の尖端部が角度をなして血管壁と係合する請求項２に記載の血管内用フィルタ。
【請求項４】
各固定部材が形状記憶材料から形成される請求項１に記載の血管内用フィルタ。
【請求項５】
各固定部材が超弾性材料から形成される請求項１に記載の血管内用フィルタ。
【請求項６】
前記コイル部材が、回収中において、湾曲形状からほぼ直線状をなす形状に曲がる、請求項１に記載の血管内用フィルタ。
【請求項７】
各固定部材が螺旋部材を備える請求項１に記載の血管内用フィルタ。
【請求項８】
各螺旋部材が豚の尾形状を有する請求項７に記載の血管内用フィルタ。
【請求項９】
各長尺状フィルタ脚部が長手方向軸線を有し、前記螺旋部材が、該長手方向軸線から角度をなして配置される螺旋軸線の周囲に配向される、請求項７に記載の血管内用フィルタ。
【請求項１０】
前記頂端部が回収部材を備える請求項１に記載の血管内用フィルタ。
【請求項１１】
前記回収部材がフックを備える請求項１０に記載の血管内用フィルタ。
【請求項１２】
頂端部と、
血管内において収束姿勢と拡張姿勢との間で作動可能な複数の長尺状フィルタ脚部と、
前記長尺状フィルタ脚部を血管壁に対して着脱可能に固定する１個以上の屈曲可能な固定部材と、各固定部材はコイル部材及び尖端部を有することと
を備える回収可能な血管内用フィルタ。
【請求項１３】
各固定部材の尖端部が角度をなして血管壁と係合する請求項１２に記載の血管内用フィルタ。
【請求項１４】
各固定部材が形状記憶材料から形成される請求項１２に記載の血管内用フィルタ。
【請求項１５】
各固定部材が超弾性材料から形成される請求項１２に記載の血管内用フィルタ。
【請求項１６】
前記コイル部材が、回収中において、湾曲形状からほぼ直線状をなす形状に曲がる、請求項１２に記載の血管内用フィルタ。
【請求項１７】
前記頂端部が回収部材を備える請求項１２に記載の血管内用フィルタ。
【請求項１８】
前記回収部材がフックを備える請求項１７に記載の血管内用フィルタ。
【請求項１９】
頂端部と、
血管内において収束姿勢と拡張姿勢との間で作動可能な複数の長尺状フィルタ脚部と、
前記長尺状フィルタ脚部を血管壁に対して着脱可能に固定する１個以上の屈曲可能な固定部材と、各固定部材は螺旋部材及び尖端部を有することと
を備える回収可能な血管内用フィルタ。
【請求項２０】
各固定部材の尖端部が角度をなして血管壁と係合する請求項１９に記載の血管内用フィルタ。
【請求項２１】
各固定部材が形状記憶材料から形成される請求項１９に記載の血管内用フィルタ。
【請求項２２】
各固定部材が超弾性材料から形成される請求項１９に記載の血管内用フィルタ。
【請求項２３】
各螺旋部材が豚の尾形状を有する請求項１９に記載の血管内用フィルタ。
【請求項２４】
各長尺状フィルタ脚部が長手方向軸線を有し、前記螺旋部材が、該長手方向軸線から角度をなして配置される螺旋軸線の周囲に配向される、請求項１９に記載の血管内用フィルタ。
【請求項２５】
各固定部材の尖端部が前記螺旋軸線に対して角度をなして配向される請求項２４に記載の血管内用フィルタ。
【請求項２６】
前記頂端部が回収部材を備える請求項１９に記載の血管内用フィルタ。
【請求項２７】
前記回収部材がフックを備える請求項２６に記載の血管内用フィルタ。
【請求項２８】
血管壁に沿って植込まれた血管内用フィルタを回収するためのシステムであって、
頂端部及び複数の長尺状フィルタ脚部を有する回収可能な血管内用フィルタと、前記複数の長尺状フィルタ脚部の１本以上が、外力が付与されると選択的に曲がる屈曲可能な固定部材を有することと、
基端部分、先端部分、及び内部を延びる内部ルーメンを有する回収カテーテルと、
前記回収カテーテルの内部ルーメン内に摺動可能に配置される長尺状部材と、該長尺状部材は、前記頂端部上に設けられた回収部材と係合するための手段を有することと
を備えるシステム。
【請求項２９】
各固定部材が角度をなして血管壁と係合する尖端部を備える請求項２８に記載のシステム。
【請求項３０】
各固定部材がコイル部材を備える請求項２８に記載のシステム。
【請求項３１】
前記コイル部材が、回収中において、湾曲形状からほぼ直線状をなす形状に曲がる、請求項３０に記載のシステム。
【請求項３２】
各固定部材が豚の尾形状を有する螺旋部材を備える請求項２８に記載のシステム。
【請求項３３】
血管内において血管内用フィルタを回収するための方法であって、
血管壁に沿って植込まれた回収可能な血管内用フィルタを提供する工程と、該血管内用フィルタは、頂端部及び複数の長尺状フィルタ脚部を備え、該複数の長尺状フィルタ脚部の１本以上が、外力が付与されると選択的に曲がる屈曲可能な固定部材を備えることと、
基端部分、先端部分、及び内部に配置される内部ルーメンを有する回収カテーテルを提供する工程と、
前記頂端部上に設けられた回収部材を係合するための手段を備える長尺状部材を前記回収カテーテルの内部ルーメン内に提供する工程と、
前記回収カテーテル及び長尺状部材を、前記回収可能な血管内用フィルタの植込み部位近傍の体内位置まで進行させる工程と、
前記長尺状部材を前記回収部材に連結する工程と、
前記長尺状部材を基端方向へ引っ張って、前記１個以上の屈曲可能な固定部材を選択的に曲げて血管壁から離脱させる工程と
を含む方法。
【請求項３４】
前記１個以上の屈曲可能な固定部材はそれぞれコイル部材を備え、前記長尺状部材を基端方向へ引っ張る工程により、コイル部材が初期の湾曲形状からほぼ直線状をなす形状へ曲がる、請求項３３に記載の方法。
【請求項３５】
前記１個以上の屈曲可能な固定部材はそれぞれ豚の尾形状を有する螺旋部材を備え、前記長尺状ワイヤ部材を基端方向へ係合する工程により、螺旋部材が曲がって初期の螺旋形状からほぼ直線状をなす形状へ伸長する、請求項３３に記載の方法。
【請求項３６】
前記血管内用フィルタの少なくとも一部を前記回収カテーテルの内部ルーメン内に引き込む工程と、
前記血管内用フィルタを体内から抜去する工程と
をさらに含む請求項３３に記載の方法。
【発明の詳細な説明】
【技術分野】
【０００１】
本発明は、血管内の血栓を濾過するための器具に関する。より詳細には、本発明は回収可能な血管内用フィルタ器具と、このような器具を体内で回収するための方法とに関する。
【背景技術】
【０００２】
血管内用フィルタは、患者の体内で発生した肺塞栓症の治療を行うために、他の血栓溶解剤と組み合わせて使用される。このような器具は、通常、経静脈的に身体の目的位置（例えば、動脈や静脈）へ挿入されて、血流に含まれる血栓（塞栓）が心臓及び／又は肺に達して身体に回復不能な損傷を与える前にこれらを捕捉するように機能する。例えば、深部静脈血栓症（ＤＶＴ）の治療においては、そのようなフィルタを大静脈内に配置することにより下半身の大静脈内でさらに血液凝固が起こることを防止する。フィルタの配置は、通常、局所麻酔薬を使用して大腿動脈や頸静脈から経皮的に行われるか、あるいは、全身麻酔により患者に開腹手術を施して行われる。
【０００３】
特定の方法においては、イントロデューサシースを使用して体内に血管内用フィルタを搬送することも可能である。このようなイントロデューサシースは、通常は管状をなしており、収束した姿勢にある血管内用フィルタを体内で運ぶように構成された内部ルーメンを備える。血管系（例えば下大静脈）内の所望の位置まで進行させられると、血管内用フィルタは、イントロデューサシース内から取り出されて、バネ力により開口して血管壁と係合することができる。血管内用フィルタを血管壁に固定するために、針、フック、鉤、突起、楔、又は他の取付手段を使用してもよい。
【０００４】
医師にとって一旦体内に植込んだ血管内用フィルタを除去することが望ましい場合が多々ある。特定の状況においては、例えば肺塞栓症の危険は比較的短期間（例えば約２週間）であるため、器具の挿入が必要とされるのは非常に短い期間である。このような場合においては、血管内用フィルタを永久的に植込むことは、不必要に血管内の血流を妨げる虞があり、フィルタを植込んだ部位においてさらに血栓症を悪化させることになりかねない。別の状況においては、血管内用フィルタを血管内で再配置することや、既に植込まれているフィルタを新しいフィルタに交換することが望ましい場合がある。
【発明の開示】
【発明が解決しようとする課題】
【０００５】
本発明は、体内で血栓を濾過するための回収可能な血管内用フィルタを提供することを目的とする。また、本発明は、血管内において該血管内用フィルタを回収するための器具及び方法を提供することも目的とする。
【課題を解決するための手段】
【０００６】
本発明の一実施形態における回収可能な血管内用フィルタは、複数の長尺状フィルタ脚部に対して作動可能に連結される頂端部を備えることができる。複数の長尺状フィルタ脚部は、血管内で拡張して、血流中の血栓を回収することができる。複数の長尺状フィルタ脚部のうち１本以上に連結された、又はこれと一体的に形成された屈曲可能な固定部材を使用してフィルタ脚部を血管内壁に一時的又は永久的に固定し、これにより血管内用フィルタが血管内で移動したり傾いたりすることを防止してもよい。特定の実施形態においては、屈曲可能な固定部材はそれぞれ、血管壁に取り付けられるときの初期の湾曲形状から、回収カテーテル内に回収するためのほぼ直線状をなす形状へと曲がるように構成されるコイル部材を備えることができる。別の実施形態においては、屈曲可能な固定部材はそれぞれ、豚の尾形状を有する螺旋部材を備えることができ、該螺旋部材は、血管壁から離脱したときに曲がるように構成することができる。血管壁面に対して角度をなして配向される尖端部を用いて、１本以上のフィルタ脚部を着脱可能に血管壁に固定してもよい。
【発明を実施するための最良の形態】
【０００７】
以下、図面に基づき説明するが、各図面において、類似する要素には同様の符号が付される。図面は、必ずしも寸法比率が等しいものではなく、選択された実施形態を説明するためのものであり、本発明の範囲をこれらに限定することを意図したものではない。また、種々の要素について構造、寸法、材料の例が示されるが、当業者であれば、提示される例の多くが、実施可能な好適な別例を有することが理解されるであろう。
【０００８】
図１は、本発明の例示的な実施形態による回収可能な血管内用フィルタ１０の斜視図である。血管内用フィルタ１０は、例えば大静脈フィルタであるが、複数の長尺状フィルタ脚部１４に対して作動可能に連結される頂端部１２を備え、各長尺状フィルタ脚部１４は、基端部分１６及び先端部分１８を備える。各フィルタ脚部１４は、互いに同じ構成であってもよく、拡張されると長手方向中心軸線Ｌを中心に対称をなすように離間されて全体がほぼ円錐形状をなすようにしてもよい。複数のフィルタ脚部１４は、全体として長手方向軸線Ｌを中心に配置することができ、各フィルタ脚部１４の基端部分１６が頂端部１２において収束し、頂点を形成する。特定の実施形態においては、フィルタ脚部１４は、カテーテル又はイントロデューサシース内において径方向に拘束された状態にあるときのほぼ直線状をなす姿勢から、血管内で展開されたときの外方へ広がった姿勢へ拡張するように付勢することができる。
【０００９】
フィルタ脚部１４は、ワイヤ、ロッド、管状体、又は切断及び加工によって図１の全体構造を形成することができるその他の長尺状部材から形成することができる。フィルタ脚部１４の寸法は、当該器具が植込まれる体内の特定位置に応じて変更することが可能である。例えば下大静脈等での使用において、フィルタ脚部１４は、全体として約１８〜３２ｍｍの直径（これはヒトの下大静脈用の通常の範囲である）を有するように拡張する寸法に設定することができる。しかしながら、フィルタ脚部１４の寸法は、血管内用フィルタ１０が他の体内位置（例えば冠動脈や末梢血管）に植込むことができるように、変更することができる。
【００１０】
フィルタ脚部１４は、プラチナ、金、タンタル、タングステン、チタン等の金属や、ステンレス鋼（例：３１６Ｌステンレス鋼）、β−ＩＩＩチタン、コバルト−クロム合金、エルジロイ（登録商標）、Ｌ６０５、ＭＰ３５Ｎ（登録商標）、Ｔａ−１０Ｗ、１７−４ＰＨ，エアロメット（Ａｅｒｏｍｅｔ、登録商標）１００等の合金から形成することができる。特定の実施形態においては、フィルタ脚部１４は、ニッケル−チタン合金（ニチノール）等の形状記憶材料から形成してもよい。合金をそのオーステナイト変態終了温度を超える温度に加熱した後、各フィルタ脚部１４を所定の形状に屈曲させることにより、僅かに外方へ屈曲した形状を各フィルタ脚部１４に付与することができる。フィルタ脚部１４は、体温（３７℃）又はその近傍の温度において所定の（すなわち屈曲した）形状に復帰するように構成することができ、これにより各フィルタ脚部１４は血管内で展開されるまでの間直線状の姿勢を維持することができる。
【００１１】
頂端部１２に連結された回収部材２０を設けて、血管内用フィルタ１０の体内からの回収を容易にすることも可能である。回収部材２０は、所望される場合には、血管内用フィルタ１０を血管内から回収するために必要に応じて回収器具とともに用いることが可能なフック、ループ、クリップ、又はその他の好適な固定機構を備えることができる。特定の実施形態においては、血管内での展開中に頂端部１２を中心に合わせるために回収部材２０を使用して、血管内用フィルタ１０が中心から外れたり、傾いたりすることを防止してもよい。
【００１２】
複数のフィルタ脚部１４のうち１本以上の先端部分１８は、屈曲可能な固定部材２２を備えることができ、該固定部材２２は、血管壁に対して血管内用フィルタ１０を着脱可能に固定するために使用することができる。固定部材２２は、フィルタ脚部１４を形成するワイヤ、ロッド、管状体等と一体的に形成されてもよく、あるいは、これらとは別の要素として形成されてもよい。例えば図１の実施形態においては、固定部材２２は、接着、溶接、圧着、又はその他の好適な取付方法を用いてフィルタ脚部１４の先端部分１８に対して連結される別の部材として形成されている。
【００１３】
図２は、血管Ｖ内に植込まれた図１の血管内用フィルタ１０を示す上面図である。図２に示すように、フィルタ脚部１４は、血管Ｖの内壁Ｗに沿って血管内用フィルタ１０を固定するために、展開時においては頂端部１２から外方へ延びるように構成することができる。フィルタ脚部１４は、頂端部１２により形成される長手方向軸線を中心に対称をなして離間するように、等間隔をおいて配置されてもよい。図１及び２の実施形態においては、血管内用フィルタ器具１０は、６０°の間隔で配置された６本のフィルタ脚部１４を有する。しかしながら、所望に応じて、任意の数や配置を有するフィルタ脚部を使用することが可能である。
【００１４】
血管Ｖ内で拡張されると、各固定部材２２は、フィルタ脚部１４によって及ぼされる外方へ向かう力によって、血管Ｖの内壁Ｗに刺さるように構成することができる。内壁Ｗに対して及ぼされる力の量は、血管Ｖを拡張させることなく、かつ血管内用フィルタ１０の血管Ｖ内での移動を十分に妨げられるだけの大きさとすることができる。フィルタ脚部１４の寸法、材料組成、配向等の様々な設計要素を変更することにより、血管内用フィルタ１０は、血管系の様々な位置において作動するように構成することができる。
【００１５】
血管Ｖ内での植込み中において、フィルタ脚部１４は、血栓（塞栓）を回収することができる表面を提供する。回収された血栓の溶解を容易にするために、血管内用フィルタ１０の全部又は一部は、ヘパリン（又はその誘導体）、ウロキナーゼ、ＰＰａｃｋ（デキストロフェニルアラニンプロリンアルギニンクロロメチルケトン）等の抗血栓剤コーティングを含み、挿入部位における血栓症の発生を防止してもよい。デキサメタゾン、プレドニソロン、コルチコステロン、ブデソニド、エストロゲン、サルファサラジン、メサラミン、又はこれらの任意の好適な組み合わせもしくは混合物等の抗炎症剤を血管内用フィルタ１０の全部又は一部に塗布して、血管壁Ｗに沿った血管内用フィルタ１０との係合によって引き起こされる炎症を防止してもよい。血管Ｖ内においてさらに血栓が形成されることを防止するために、抗凝血剤を血管内用フィルタ１０の配置される部位へ搬送してもよい。
【００１６】
図３は、図１の複数の長尺状フィルタ脚部１４のうち一本の固定部材２２をより詳細に示す拡大図である。図３に示されるように、各固定部材２２は、フィルタ脚部１４の先端部分１８に連結される第１端部２６と、血管の内壁に隣接して置かれる第２端部２８とを有するコイル部材２４を備えることができる。コイル部材２４の第１端部２６をフィルタ脚部１４に固定するために、ハンダ結合部３０又は他の好適な取付手段を設けてもよい。別の実施形態においては、コイル部材２４は、フィルタ脚部１４の先端部分１８と一体的に形成され、別体のハンダ結合部３０を必要としない構成であってもよい。
【００１７】
コイル部材２４は、血管内用フィルタの第２端部２８又はその近傍において血管内用フィルタの頂点の方向に向かって上方へ湾曲する想像上の弧３２の周囲に巻きつけられたスプリングコイルから形成することができる。固定部材２２の全体形状は、ワイヤ又は管状体からなる長尺状片を、図３に示される想像上の弧３２とほぼ一致する形状を有する湾曲マンドレルの周囲に巻き付けることによって形成することができる。例示される実施形態においては、固定部材２２は、フィルタ脚部１４の基端部分１６及び先端部分１８の形成材料よりも可撓性の高いニッケル−チタン合金（ニチノール）等の超弾性及び／又は形状記憶材料で形成されるワイヤ片又は管状体片から形成することができる。固定部材２２の全体が湾曲する形状は、所望の形状を有する湾曲したマンドレルの周囲に固定部材２２を巻き付け、合金をそのオーステナイト変態終了温度を超える温度まで加熱して形状をヒートセットし、当該材料を冷却してマルテンサイト状態に戻すことにより形成することができる。使用時においては、合金は、体温又はその近傍の温度において、その所定の（すなわち湾曲した）形状に復帰するように構成することができ、固定部材２２は、回収器具内に収容されたときにほぼ直線状の姿勢を維持することができる。
【００１８】
各固定部材２２の尖端部３４は、血管内用フィルタ１０が血管内壁に刺さって固定されるように構成することができる。尖端部３４は、血管内壁に刺さるように針又はその他の鋭い縁を形成するように部分３６において研削されたコイル部材２４の解かれた部分から形成してもよい。あるいは、各固定部材２２の尖端部３４は、針又は鉤等の別の部材をコイル部材２４の第２端部２８に取り付けることにより形成されてもよい。特定の実施形態においては、各固定部材２２の尖端部３４は、想像上の弧３２の方向に向かって上方へ湾曲し、除去を容易にするために、血管壁の内面に対して僅かに角度をなすように構成することができる。
【００１９】
血管内での展開時においては、フィルタ脚部１４によって及ぼされる外方へ向かう力により、各固定部材２２の尖端部３４が血管内壁に刺さって固定を行う。コイル部材２４の最も先端側のコイル巻回部から形成される肩部３８は、所望される場合には、固定部材２２のための着地パッドとして機能するように構成することができ、血管壁内における尖端部３４の係合深さを制限する。
【００２０】
固定部材２２の構造及び材料組成を長尺状フィルタ脚部１４の構造及び材料組成とは変えることにより、外力が血管内用フィルタ１０に付与されたときに固定部材２２が選択的に曲がることができるようにしてもよい。例えば特定の実施形態においては、各固定部材２２は、その初期の湾曲形状から、対応するフィルタ脚部１４の長手方向軸線と整合するほぼ直線状をなす形状へ曲がるように構成することができる。各固定部材２２の曲がる能力を高める又は低めるために、コイル部材２４を形成する種々のコイル巻回部４０の寸法及び間隔を変化させることができ、かつ／又は、血管内用フィルタ１０の様々な部品を形成する材料の選択を行うことができる。
【００２１】
図４は、豚の尾形状を有する螺旋部材４４を備える固定部材４２の別例を示す拡大図である。図４に示されるように、螺旋部材４４は、フィルタ脚部１４の先端部分１８に連結される又はこれと一体的に形成される第１端部４６から、血管内壁に隣接して置かれる第２端部４８まで延びていてもよい。図３の固定部材２２と同様に、固定部材４２は、血管内壁に沿って係合される第１姿勢と回収カテーテル内への回収を容易にするための第２姿勢との間で選択的に曲がるように構成することができる。
【００２２】
図４には、第１姿勢（すなわち展開姿勢）にて示されており、螺旋部材４４は、フィルタ脚部１４の長手方向軸線５２から変位した螺旋軸線５０の周囲に配向させることができる。螺旋の数及び螺旋部材４４の近接する各螺旋部間の間隔は、体内において所望の可撓性を得られるように変更することができる。例えば図４に示される実施形態においては、螺旋部材４４は豚の尾形状を有しており、連続する各螺旋部は、第２端部４８に向かって直径が減少する。しかしながら、螺旋部材４４は、固定部材４２の可撓性を変更するために、所望に応じて他の構成を有していてもよい。
【００２３】
螺旋部材４４の構造及び材料組成は、所望される場合には、固定部材４２の可撓性を高めるように、又は低めるように変更することができ、これによって、血管内用フィルタ１０に外力が付与されたときに固定部材４２が選択的に曲がることができる。例えば特定の実施形態においては、螺旋部材４４は、固定部材４２が容易に屈曲したり撓んだりできるように、ニッケル−チタン合金等の超弾性及び／又は形状記憶材料から形成することができる。
【００２４】
図４に示されるように、螺旋部材４４の尖端部５４は、螺旋軸線５０に対して角度θをなすように配向することができる。特定の実施形態においては、角度θにおいて尖端部５４が螺旋軸線５０から逸脱するが、この角度θは、尖端部５４が血管壁表面に対して角度をなして配向されるように選択することができる。螺旋部材４４の第２端部４８において最も先端側の螺旋により形成される肩部５６を、固定部材４２のための着地パッドとして機能するように構成し、血管壁内における尖端部５４の係合を制限するようにしてもよい。
【００２５】
図５乃至８に基づき、血管Ｖ内において血管内用フィルタ１０を回収する方法の例を説明する。図５に示される第１姿勢においては、血管内用フィルタ１０は、血管Ｖ内において完全に展開された状態で示されており、各固定部材２２が一時的に内壁Ｗに固定され、血管内用フィルタ１０の移動を防止している。この姿勢において、血管内用フィルタ１０のフィルタ脚部１４は、血流５８に含まれる血栓を収集した後に溶解させるように構成することができる。
【００２６】
図６の第２姿勢においては、基端部分（図示しない）と、先端部分６２と、血管内用フィルタ１０を収束させて受承するように構成される内部ルーメン６４とを有する回収カテーテル６０は、血管内用フィルタ１０の頂端部１２近傍の位置まで進行させることができる。回収部材２０と係合するためのフック６８又は他の好適な手段を有する長尺状部材６６は、回収カテーテル６０の内部ルーメン６４内へ挿入して、回収カテーテル６０の先端部分６２を超えて先端側へ進行させることができる。頂端部１２の配置部位まで進行させられると、長尺状部材６６は、例えば図６に示されるように、頂端部１２上の回収部材２０にフック６８を固定するように操作することができる。固定が行われると、回収カテーテル６０を静止させた状態で長尺状部材６６を基端側へ引っ張ることにより、固定部材２２を血管Ｖの内壁Ｗから離脱させることができる。
【００２７】
図７に示される第３姿勢においては、各固定部材２２は、長尺状部材６６によって基端方向に及ぼされる力によって、曲がってフィルタ脚部１４の長手方向軸線とほぼ平行となる方向に直線状をなして延びるように構成することができる。固定部材２２が直線状をなすと、尖端部３４が血管Ｖの内壁Ｗと係合する場所において小さなポケットが形成され、固定部材２２は容易に内壁Ｗから離脱することができる。長尺状部材６６をさらに基端方向へ引き戻すことにより、図８において第４姿勢として示されるように、フィルタ脚部１４は内側へ寄せられ、回収カテーテル６０の内部ルーメン６４内へ収束させられる。内部ルーメン６４内へ引き込まれた後、回収カテーテル６０、長尺状部材６６、及び収束した血管内用フィルタ１０を所望に応じて体内から抜去することができる。
【００２８】
本発明の実施例のいくつかについて説明してきたが、当業者であれば、本明細書に添付される特許請求の範囲に包含される他の実施形態を形成及び用いることができることは容易に理解されるであろう。本明細書に記載される本発明の数々の効果は、前述した説明に記載されている。本開示は、多くの点において単なる例示にすぎず、詳細、特に部品の形状、寸法、及び構成については、本発明の範囲から逸脱することなく変更可能である。
【図面の簡単な説明】
【００２９】
【図１】本発明の一実施形態における回収可能な血管内用フィルタの斜視図。
【図２】血管壁に沿って配置される図１の回収可能な血管内用フィルタの上面図。
【図３】図１の複数の長尺状フィルタ脚部のうち一本の固定部材をより詳細に示す拡大図。
【図４】豚の尾形状を有する螺旋部材を備えた別の固定部材を示す拡大図。
【図５】一時的に血管内へ植込まれた図１の回収可能な血管内用フィルタの部分断面図。
【図６】図５の回収可能な血管内用フィルタが配置された部位へ進行させられた回収装置の部分断面図。
【図７】図６の回収装置を用いて回収可能な血管内用フィルタの取り外しを行う様子を示した部分断面図。
【図８】回収装置内へ引き込まれた図５の回収可能な血管内用フィルタを示す部分断面図。
【図１】
2008511342.tif 000003
【図２】
2008511342.tif 000004
【図３】
2008511342.tif 000005
【図４】
2008511342.tif 000006
【図５】
2008511342.tif 000007
【図６】
2008511342.tif 000008
【図７】
2008511342.tif 000009
【図８】
2008511342.tif 000010
【国際調査報告】
2008511342.tif 000011
2008511342.tif 000012
2008511342.tif 000013
2008511342.tif 000014